(57)【要約】【課題】  レーザ光が人の目に入ることを防止できる安全で使い勝手のよいレーザポインターを提供する。【解決手段】  ポインター本体１に可視光レーザ２を内蔵し、可視光レーザ２の発光部３をポインター本体１の一端側に設ける。ポインター本体１には該ポインター本体１の上下方向の傾きに応じて前記可視光レーザ２のスイッチをオンオフするレーザスイッチング動作部４を設け、レーザスイッチング動作部４は可視光レーザ２の発光部３が水平より上向きの傾動姿勢になったときに可視光レーザ２をオンし、可視光レーザ２の発光部３が水平および水平より下向きの傾動姿勢になったときには可視光レーザ２をオフする。【選択図】        図１
2006119460.tif 000002
【特許請求の範囲】
【請求項１】
ポインター本体に可視光レーザが内蔵され、該可視光レーザの発光部が前記ポインター本体の一端側に設けられているレーザポインターにおいて、前記ポインター本体には該ポインター本体の上下方向の傾きに応じて前記可視光レーザのスイッチをオンオフするレーザスイッチング動作部が設けられており、該レーザスイッチング動作部は前記可視光レーザの発光部が水平より上向きの傾動姿勢になったときに前記可視光レーザをオンし、前記可視光レーザの発光部が水平および水平より下向きの傾動姿勢になったときには前記可視光レーザをオフすることを特徴とするレーザポインター。
【請求項２】
レーザスイッチング動作部は、互いに間隔を介して配置されて可視光レーザに接続されている複数の端子部と、ポインター本体の上下方向の傾きに応じて前記端子部に近づく方向と前記端子部から離れる方向とに移動する移動部材とを有し、該移動部材は導電性材料により形成されており、前記可視光レーザの発光部が水平より上向きの傾動姿勢になったときには前記移動部材が前記端子部側に移動して複数の端子部に接触することにより端子部同士を互いに導通させて前記可視光レーザをオンし、前記可視光レーザの発光部が水平および水平より下向きの傾動姿勢になったときには前記端子部から離れて端子部同士を非導通状態として前記可視光レーザをオフすることを特徴とする請求項１記載のレーザポインター。
【請求項３】
可視光レーザを強制的にオンする強制スイッチオン操作部が設けられていることを特徴とする請求項１または請求項２記載のレーザポインター。
【請求項４】
強制スイッチオン操作部は、開閉自在に設けられたカバー部材に覆われていることを特徴とする請求項３記載のレーザポインター。
【請求項５】
強制スイッチオン操作部は、開閉自在に設けられたカバー部材を開けたときに該カバー部材の開方向の移動に連動して可視光レーザを強制的にオンする構成としたことを特徴とする請求項３記載のレーザポインター。
【請求項６】
カバー部材を開いた状態と閉じた状態とを区別表示するカバー開閉区別表示部が設けられていることを特徴とする請求項４または請求項５記載のレーザポインター。
【請求項７】
オーバーヘッドプロジェクタとデータプロジェクタの少なくとも一方のプロジェクタの画面切り替え動作を直接または該プロジェクタに連携しているパソコンを介して制御するリモートコントローラが設けられていることを特徴とする請求項１乃至請求項６のいずれか一つに記載のレーザポインター。
【請求項８】
可視光レーザのスイッチオンオフの動作基準角度を設定するスイッチング動作角度設定部を設け、前記可視光レーザの発光部が前記スイッチング動作角度設定部により設定した角度より上向きの傾動姿勢になったときに前記可視光レーザをオンし、前記可視光レーザの発光部が該スイッチング動作角度設定部により設定した角度以下の傾動姿勢になったときには前記可視光レーザをオフすることを特徴とするレーザポインター。
【発明の詳細な説明】
【技術分野】
【０００１】
本発明は、例えば会議等で、オーバーヘッドプロジェクタ（ＯＨＰ）、データプロジェクタ（ＤＨＰ）、スライド上映機等により映し出される画像、文字等のポイントを指し示すために用いられるレーザポインターに関するものである。
【背景技術】
【０００２】
オーバーヘッドプロジェクタ、データプロジェクタ、スライド上映機等は、写真や図を含む画像や、文字等を大きく引きのばし、大きな会場で大勢の人々に見せるために利用され、学会、説明会等のプレゼンテーションに多く使用されている。
【０００３】
このようなプレゼンテーション等において、発表者は大画面上で説明に合わせてポインターを使用し、説明内容をより理解しやすくすることが通常行われている。このポインターには、小さな電力で遠くの一点を示せることが要求され、現在レーザポインターが用いられている。
【０００４】
なお、最近では、プレゼンテーション等をよりスムーズに進めるために、レーザポインターを用いて、画面切り替え操作を可能とすることが提案されており、例えばパソコンを遠隔操作し、パソコンのデータを順次スクリーンに投影すること等が提案されている（例えば特許文献１参照）。
【０００５】
【特許文献１】特開２００３―１７３２３５号公報
【発明の開示】
【発明が解決しようとする課題】
【０００６】
ところで、レーザ光はエネルギ密度が大きい光であるため、レーザ光が間違って人の目の中に入ると失明の危険性があるため、一般的に用いられるレーザポインターはその発光出力をあるレベル以下の低出力とする対策がとられている。
【０００７】
しかしながら、この低出力のレーザ光でも人の目に入った場合は目くらみや不快さが残り、暗い場所での影響は無視できないものである。
【０００８】
本発明は、上記課題を解決するために成されたものであり、その目的は、レーザ光が人の目に入ることを防止できる安全で使い勝手のよいレーザポインターを提供することにある。
【課題を解決するための手段】
【０００９】
上記目的を達成するために、本発明は次のような構成をもって課題を解決するための手段としている。すなわち、第１の発明は、ポインター本体に可視光レーザが内蔵され、該可視光レーザの発光部が前記ポインター本体の一端側に設けられているレーザポインターにおいて、前記ポインター本体には該ポインター本体の上下方向の傾きに応じて前記可視光レーザのスイッチをオンオフするレーザスイッチング動作部が設けられており、該レーザスイッチング動作部は前記可視光レーザの発光部が水平より上向きの傾動姿勢になったときに前記可視光レーザをオンし、前記可視光レーザの発光部が水平および水平より下向きの傾動姿勢になったときには前記可視光レーザをオフする構成をもって課題を解決する手段としている。
【００１０】
また、第２の発明は、上記第１の発明の構成に加え、前記レーザスイッチング動作部は、互いに間隔を介して配置されて可視光レーザに接続されている複数の端子部と、ポインター本体の上下方向の傾きに応じて前記端子部に近づく方向と前記端子部から離れる方向とに移動する移動部材とを有し、該移動部材は導電性材料により形成されており、前記可視光レーザの発光部が水平より上向きの傾動姿勢になったときには前記移動部材が前記端子部側に移動して複数の端子部に接触することにより端子部同士を互いに導通させて前記可視光レーザをオンし、前記可視光レーザの発光部が水平および水平より下向きの傾動姿勢になったときには前記端子部から離れて端子部同士を非導通状態として前記可視光レーザをオフする構成をもって課題を解決する手段としている。
【００１１】
さらに、第３の発明は、上記第１または第２の発明の構成に加え、前記可視光レーザを強制的にオンする強制スイッチオン操作部が設けられている構成をもって課題を解決する手段としている。
【００１２】
さらに、第４の発明は、上記第３の発明の構成に加え、前記強制スイッチオン操作部は、開閉自在に設けられたカバー部材に覆われている構成をもって課題を解決する手段としている。
【００１３】
さらに、第５の発明は、上記第３の発明の構成に加え、前記強制スイッチオン操作部は、開閉自在に設けられたカバー部材を開けたときに該カバー部材の開方向の移動に連動して可視光レーザを強制的にオンする構成をもって課題を解決する手段としている。
【００１４】
さらに、第６の発明は、上記第４または第５の発明の構成に加え、前記カバー部材を開いた状態と閉じた状態とを区別表示するカバー開閉区別表示部が設けられている構成をもって課題を解決する手段としている。
【００１５】
さらに、第７の発明は、上記第１乃至第６のいずれか一つの発明の構成に加え、オーバーヘッドプロジェクタとデータプロジェクタの少なくとも一方のプロジェクタの画面切り替え動作を直接または該プロジェクタに連携しているパソコンを介して制御するリモートコントローラが設けられている構成をもって課題を解決する手段としている。
【００１６】
さらに、第８の発明は、上記第１乃至第７のいずれか一つの発明の構成に加え、前記可視光レーザのスイッチオンオフの動作基準角度を設定するスイッチング動作角度設定部を設け、前記可視光レーザの発光部が前記スイッチング動作角度設定部により設定した角度より上向きの傾動姿勢になったときに前記可視光レーザをオンし、前記可視光レーザの発光部が該スイッチング動作角度設定部により設定した角度以下の傾動姿勢になったときには前記可視光レーザをオフする構成をもって課題を解決する手段としている。
【発明の効果】
【００１７】
本発明によれば、ポインター本体には該ポインター本体の上下方向の傾きに応じて可視光レーザのスイッチをオンオフするレーザスイッチング動作部が設けられ、可視光レーザの発光部が水平より上向きの傾動姿勢になったときに可視光レーザをオンし、可視光レーザの発光部が水平および水平より下向きの傾動姿勢になったときには可視光レーザをオフするので、例えばプレゼンテーション等で、発表者がオーバーヘッドプロジェクタ等で映し出された画像等を指し示すときのみレーザ光が発光される。
【００１８】
つまり、プレゼンテーション等においては、発表者は、立つか、周囲の人達と共に座っているかであり、オーバーヘッドプロジェクタ等で映し出される画像等は、発表者より水平以上の目線にあるのが一般的であり、聴衆は画面を見上げるかたちになるため、その画像等をレーザポインターで指し示す角度は、水平より上向きである。
【００１９】
したがって、本発明によれば、可視光レーザの発光部が水平より上向きの傾動姿勢になったときに可視光レーザをオンすることにより、オーバーヘッドプロジェクタ等で映し出される画像等のポイントを適宜指し示すことができ、さらに、可視光レーザの発光部が水平および水平より下向きの傾動姿勢になったときに可視光レーザをオフすることにより、周囲の人達の目にレーザ光が入ることを防止でき、安全で使い勝手のよいレーザポインターを実現できる。
【００２０】
また、本発明において、レーザスイッチング動作部は、互いに間隔を介して配置されて可視光レーザに接続されている複数の端子部と、ポインター本体の上下方向の傾きに応じて前記端子部に近づく方向と前記端子部から離れる方向とに移動する導電性材料の移動部材を有して、この移動部材がポインター本体の上下方向の傾きに応じて移動することにより、可視光レーザをオンオフする構成によれば、簡単な構成で、ポイントを的確に指し示すことができ、かつ、レーザ光が周囲の人達の目に入ることを防止できる安全で使い勝手のよいレーザポインターを実現できる。
【００２１】
さらに、本発明において、可視光レーザを強制的にオンする強制スイッチオン操作部が設けられている構成によれば、ポインター本体の角度によらずに、可視光レーザを発光したい場合に、必要に応じ、強制スイッチオン操作部の操作によってレーザを発光することができる。
【００２２】
さらに、本発明において、強制スイッチオン操作部が設けられ、この強制スイッチオン操作部は、開閉自在に設けられたカバー部材に覆われている構成によれば、間違って強制スイッチオン操作部を操作してしまうことを抑制でき、必要に応じてポインター本体の角度によらず可視光レーザを発光できるレーザポインターにおいて、安全性も高められる。
【００２３】
さらに、本発明において、強制スイッチオン操作部が設けられ、この強制スイッチオン操作部は、開閉自在に設けられたカバー部材を開けたときに該カバー部材の開方向の移動に連動して可視光レーザを強制的にオンする構成によれば、カバー部材の開方向の移動によって、容易に強制スイッチオン操作部の操作を行うことができる。
【００２４】
さらに、本発明において、強制スイッチオン操作部と、開閉自在に設けられたカバー部材が設けられ、前記カバー部材を開いた状態と閉じた状態とを区別表示するカバー開閉区別表示部が設けられている構成によれば、カバー部材を開いて強制スイッチオン操作部の操作が行われていることを、使用者に知らせることができるので、使用者は、この区別表示を確認してレーザポインターを操作できるので、より安全性を高めることができる。
【００２５】
さらに、本発明において、オーバーヘッドプロジェクタとデータプロジェクタの少なくとも一方のプロジェクタの画面切り替え動作を直接または該プロジェクタに連携しているパソコンを介して制御するリモートコントローラが設けられている構成によれば、レーザポインターを用いてプロジェクタの画面切り替え動作を制御することもできるので、より使い勝手のよい便利なレーザポインターを実現できる。
【００２６】
さらに、本発明において、可視光レーザのスイッチオンオフの動作基準角度を設定するスイッチング動作角度設定部を設け、可視光レーザの発光部がスイッチング動作角度設定部により設定した角度より上向きの傾動姿勢になったときに前記可視光レーザをオンし、前記可視光レーザの発光部が該スイッチング動作角度設定部により設定した角度以下の傾動姿勢になったときには前記可視光レーザをオフする構成によれば、例えばレーザポインターを用いる会場の広さ等に応じて、スイッチング動作角度設定部により可視光レーザのスイッチオンオフの動作基準角度を適宜決定すれば、より使い勝手の良好で安全なレーザポインターを実現できる。
【発明を実施するための最良の形態】
【００２７】
以下、本発明の実施の形態を、図面を参照して説明する。図１には、本発明に係るレーザポインターの第１実施形態例の要部構成と動作が模式的な断面図により示されている。
【００２８】
図１に示すように、ポインター本体１には、レーザ収容部１４が設けられており、このレーザ収容部１４に可視光レーザ２が収容（内蔵）されている。可視光レーザ２の発光部３がポインター本体１の一端側に設けられており、ポインター本体１の他端側には電池収容部１６が設けられて、可視光レーザ２の電源となる乾電池（図示せず）が収容されている。
【００２９】
また、ポインター本体１には該ポインター本体１の上下方向の傾きに応じて前記可視光レーザ２のスイッチをオンオフするレーザスイッチング動作部４が設けられている。該レーザスイッチング動作部４は、前記可視光レーザ２の発光部３が水平より上向きの傾動姿勢になったときに前記可視光レーザ２をオンし、前記可視光レーザ２の発光部３が水平および水平より下向きの傾動姿勢になったときには前記可視光レーザ２をオフする。
【００３０】
図２には、上記レーザスイッチング動作部４の構成および動作が、発光部３と共に模式的に示されている。同図に示すように、レーザスイッチング動作部４は、互いに間隔を介して配置された複数（ここでは２つ）の端子部５と、ポインター本体１の上下方向の傾きに応じて前記端子部５に近づく方向と前記端子部５から離れる方向とに移動する移動部材８とを有している。端子部５は、リード線７により可視光レーザ２（図２には図示せず）に接続されている。
【００３１】
移動部材８は球状に形成されて移動部材収容部６に移動自在に収容され、この移動部材収容部６の内壁に前記端子部５が設けられている。端子部５は、移動部材収容部６の底面と側面に１つずつ設けられており、発光部３側と反対側の端部に設けられている。
【００３２】
移動部材８は導電性材料により形成されており、図２（ａ）に示すように、可視光レーザ２の発光部３が水平より上向きの傾動姿勢になったときには、移動部材８が前記端子部５側にころがり移動して２つの端子部５に接触することにより端子部５同士を互いに導通させて前記可視光レーザ２をオンし、図２（ｂ）に示すように、可視光レーザ２の発光部３が水平および水平より下向きの傾動姿勢になったときには前記端子部５から離れて端子部５同士を非導通状態として前記可視光レーザ２をオフする。
【００３３】
また、図１に示すように、ポインター本体１の側面には発光操作ボタン１３が設けられており、可視光レーザ２がオンの状態のときに発光操作ボタン１３が押されたときには、発光部３からレーザ光（可視レーザ光）が発光される。また、発光操作ボタン１３を２秒以上連続して押すなど、操作の仕方によって、レーザ光を点滅発光するようにすることもできる。
【００３４】
なお、ポインター本体１にはＬＤ作動時モニタ部１１が設けられており、ＬＤの作動の有無を検出し、ＬＤが作動しているときには、ポインター本体１の側面に設けられたＬＥＤ（発光ダイオード）表示部１５にＬＤの作動有り信号を加え、この信号を受けて、ＬＥＤ表示部１５が赤色のＬＥＤを点灯して可視光レーザ２のオン状態を表示する。
【００３５】
また、ポインター本体１には、通信用赤外線発信部９と画面切替信号制御部１０が内蔵されており、ポインター本体１の側面には、画面操作スイッチ１２が設けられており、これらは、オーバーヘッドプロジェクタとデータプロジェクタの少なくとも一方のプロジェクタの画面切り替え動作を直接または該プロジェクタに連携しているパソコンを介して制御するリモートコントローラとして機能する。
【００３６】
つまり、画面操作スイッチ１２を操作すると、画面切替信号制御部１０の制御信号が通信用赤外線発信部９から発信され、この赤外線を、プロジェクタに設けた通信用赤外線受信部、または、パソコンに設けた通信用赤外線受信部により受信させて、プロジェクタの画面切り替え操作（「送り」や「戻り」の操作）を行う。
【００３７】
本実施形態例は以上のように構成されており、可視光レーザ２がオンの状態のときに発光操作ボタン１３が押されたときには、発光部３からレーザ光が発光されるが、可視光レーザ２のオンオフが、レーザスイッチング動作部４の機能によって、ポインター本体１の上下方向の傾きに応じて自動的に動作する。
【００３８】
つまり、本実施形態例では、可視光レーザ２の発光部３が水平より上向きの傾動姿勢になったときに可視光レーザ２がオンし、可視光レーザ２の発光部３が水平および水平より下向きの傾動姿勢になったときには可視光レーザ２がオフするので、例えばプレゼンテーション等で、発表者より水平以上の目線にある画像等を指し示すときのみレーザ光が発光され、かつ、周囲の人達の目にレーザ光が入ることを防止でき、安全で使い勝手のよいレーザポインターを実現できる。
【００３９】
また、本実施形態例によれば、レーザスイッチング動作部４は、図２に示したような、２つの端子部５と導電性材料の移動部材８とを有し、移動部材８がポインター本体の上下方向の傾きに応じて移動することにより、可視光レーザ２をオンオフするので、簡単な構成で、ポイントを的確に指し示すことができ、かつ、レーザ光が周囲の人達の目に入ることを防止できる安全で使い勝手のよいレーザポインターを実現できる。
【００４０】
さらに、本実施形態例によれば、プロジェクタの画面切り替え動作を直接または該プロジェクタに連携しているパソコンを介して制御するリモートコントローラが設けられているので、レーザポインターを用いてプロジェクタの画面切り替え動作を制御することもできるので、より使い勝手のよい便利なレーザポインターを実現できる。
【００４１】
次に、本発明に係るレーザポインターの第２実施形態例について説明する。第２実施形態例のレーザポインターの特徴は、図３に示すように、可視光レーザを強制的にオンする強制スイッチオン操作部１７が設けられていることであり、それ以外の第２実施形態例の構成は上記第１実施形態例と同様であるので、その重複説明は省略または簡略化する。
【００４２】
強制スイッチオン操作部１７は、軸部２０を支点として開閉自在に設けられたカバー部材１８と、軸部２０を支点として回動自在に設けられた回動部材２２と、該回動部材２２とカバー部材１８とを連結する連結部材２１とを有しており、回動部材２２と連結部材２１はレーザスイッチング動作部４内に設けられている。
【００４３】
強制スイッチオン操作部１７は、カバー部材１８を開けたときに、該カバー部材１８の開方向の移動に連動して可視光レーザ２をオンする構成と成しており、カバー部材１８が、図３（ａ）に示すような閉状態から図３（ｂ）に示すような開状態となると、カバー部材１８と共に回動部材２２が軸部２１を支点として回動し、移動部材８を端子５側に移動させて接触させる。この状態においては、移動部材８が２つの端子部５に接触することにより端子部５同士を互いに導通させるので、可視光レーザ２は常にオンとなる。
【００４４】
また、ポインター本体１の側面には、カバー部材１８を開いた状態と閉じた状態とを区別表示するカバー開閉区別表示部としてのＬＥＤ表示部２３が設けられている。このＬＥＤ表示部２３は例えば赤色ＬＥＤにより形成されており、カバー部材１８が開方向に移動すると、ＬＥＤ表示部２３が点灯し、カバー部材１８を開いた状態がカバー部材１８を閉じた状態と区別表示されるので、暗い中であってもカバー部材１８を開いた状態を使用者に示すことができ、使用者が安全上の配慮を行えるようにすることができる。
【００４５】
また、第２実施形態例では、前記ＬＥＤ表示部１５も、カバー部材１８を開いた状態と閉じた状態とを区別表示するカバー開閉区別表示部として機能し、カバー部材１８を閉じた状態で前記発光操作ボタン１３（図３には図示せず）が押され、レーザ光が発光するときには、前記の如く、赤色のＬＥＤを点灯するが、カバー部材１８を開いた状態で発光操作ボタン１３が押され、レーザ光が発光するときには、緑色のＬＥＤを点灯する。
【００４６】
第２実施形態例は以上のように構成されており、可視光レーザ２を強制的にオンする強制スイッチオン操作部１７が設けられているので、ポインター本体１の角度によらず、可視光レーザ２を発光したい場合には、必要に応じ、強制スイッチオン操作部１７の操作によってレーザを発光することができる。
【００４７】
また、第２実施形態例によれば、強制スイッチオン操作部１７は、開閉自在に設けられたカバー部材１８を開けたときに、該カバー部材１８の開方向の移動に連動してオンするので、カバー部材１８の開方向の移動によって、容易に強制スイッチオン操作部１７の操作を行うことができる。
【００４８】
さらに、第２実施形態例によれば、カバー部材１８を開いた状態と閉じた状態とを、ＬＥＤ表示部２３により区別表示するので、カバー部材１８を開いて強制スイッチオン操作部１７の操作が行われている状態であることを表示して注意を促すことができる。そして、使用者は、この区別表示を確認してレーザポインターを操作できるので、より安全性を高めることができる。
【００４９】
さらに、第２実施形態例によれば、ＬＥＤ表示部１５により点灯するＬＥＤの色を区別表示して、カバー部材１８を開いた状態で（強制スイッチオン操作部１７の操作が行われている状態で）レーザ光を発光しているのか、カバー部材１８が閉じた状態で（強制スイッチオン操作部１７の操作が行われていない状態で）レーザ光が発光されているのかを、使用者に知らせることができるので、より一層安全性を高めることができる。
【００５０】
なお、本発明は上記実施形態例に限定されることはなく、様々な態様を採り得る。例えば、上記実施形態例では、ＬＥＤ表示１５，２３は、レーザ光が発光されているときに、この表示をＬＥＤの点灯により行ったが、ＬＥＤの点灯ではなく点滅によりレーザ光の発光を表示してもよい。また、ＬＥＤの色も特に限定されるものでなく適宜設定されるものである。
【００５１】
また、上記第２実施形態例のように、強制スイッチオン操作部１７を設ける場合に、強制スイッチオン操作部１７は、開閉自在に設けられたカバー部材に覆われた領域に設けてもよい。このように構成すると、間違って強制スイッチオン操作部１７を操作してしまうことを抑制でき、強制スイッチオン操作部１７を設ける構成において、安全性をより一層高めることができる。
【００５２】
さらに、強制スイッチオン操作部１７の構成や、レーザスイッチング動作部４の構成の詳細は特に限定されるものでなく、適宜設定されるものであり、例えばレーザスイッチング動作部４において、移動部材８は円盤状に形成してもよいし、端子部５を移動部材収容部６の底面に互いに間隔を介して配置し、移動部材８をスライド移動可能な板状の部材としてポインター本体１の上下方向の傾きに応じて移動するようにしてもよい。また、移動部材８は振り子状に移動する部材としてもよい。
【００５３】
さらに、上記各実施形態例では、オーバーヘッドプロジェクタとデータプロジェクタの少なくとも一方のプロジェクタの画面切り替え動作を直接または該プロジェクタに連携しているパソコンを介して制御するリモートコントローラを、通信用赤外線発信部９と画面切替信号制御部１０、画面操作スイッチ１２を設けて構成したが、上記リモートコントローラの構成は特に限定されるものでなく、適宜設定されるものである。また、上記リモートコントローラは省略することもできる。
【００５４】
さらに、可視光レーザ２のスイッチオンオフの動作基準角度を設定するスイッチング動作角度設定部を設け、可視光レーザ２の発光部３がスイッチング動作角度設定部により設定した角度より上向きの傾動姿勢になったときに前記可視光レーザ２をオンし、前記可視光レーザ２の発光部３が該スイッチング動作角度設定部により設定した角度以下の傾動姿勢になったときには前記可視光レーザ２をオフするようにしてもよい。
【００５５】
このようにすると、例えばレーザポインターを用いる会場の広さ等に応じて、広い場所においてはスイッチング動作角度設定部により可視光レーザ２のスイッチオンオフの動作基準角度を水平より上向きに設定し、狭い場所においてはスイッチング動作角度設定部により可視光レーザ２のスイッチオンオフの動作基準角度を水平付近に設定する等、スイッチオンオフの動作基準角度を適宜決定すれば、より使い勝手の良好で安全なレーザポインターを実現できる。
【図面の簡単な説明】
【００５６】
【図１】本発明に係るレーザポインターの第１実施形態例を模式的に示す説明図である。
【図２】上記実施形態例のレーザポインターのレーザスイッチング動作部の構成と動作を模式的に示す説明図である。
【図３】本発明に係るレーザポインターの第２実施形態例の強制スイッチオン操作部の構成と動作を模式的に示す説明図である。
【符号の説明】
【００５７】
１  ポインター本体
２  可視光レーザ
３  発光部
４  レーザスイッチング動作部
５  端子部
８  移動部材
１３  発光操作ボタン
１７  強制スイッチオン操作部
１８  カバー部材
１５，２３  ＬＥＤ表示部
【図１】
2006119460.tif 000003
【図２】
2006119460.tif 000004
【図３】
2006119460.tif 000005